(57)【要約】【課題】  確実に投写画像の歪補正を行うことができる歪補正方法、および、その歪補正方法を用いたプロジェクタを提供する。【解決手段】  プロジェクタは、画像を投写対象面に投写する投写部４０，５０，６０と、投写された画像を撮像する撮像部９０と、画像の焦点を調整するフォーカスレンズ６６と、フォーカスレンズ６６を駆動するフォーカスレンズ駆動部１１０と、フォーカスレンズ６６の駆動位置を検出するフォーカスレンズ位置検出部１２０と、撮像部９０で撮像した画像に対し焦点が合う位置であるか否かを判断する判断部とを備える。そして、画像の少なくとも２箇所の所定の部位に対して、夫々に、判断部により焦点が合う位置であると判断された時の、フォーカスレンズ６６の駆動位置に基づいて、歪補正を行うために投写画像を調整する画像処理部２０とを備える。【選択図】      図１
2005295328.tif 000002
【特許請求の範囲】
【請求項１】
画像を投写対象面に拡大投写するプロジェクタの歪補正方法であって、
前記画像を前記投写対象面に投写する投写工程と、
前記投写対象面に投写された前記画像を撮像する撮像工程と、
前記投写対象面に前記画像が投写された状態でフォーカスレンズを駆動するフォーカス
レンズ駆動工程と、
前記フォーカスレンズの駆動位置を検出するフォーカスレンズ位置検出工程と、
前記フォーカスレンズの位置は、前記撮像工程で撮像した前記画像に対し焦点が合う位
置であるか否かを判断する判断工程と、
前記投写対象面に投写された前記画像の少なくとも２箇所の所定の部位に対して、夫々
に、前記判断工程により焦点が合う位置であると判断された時の、前記フォーカスレンズ
位置検出工程で検出した前記フォーカスレンズの駆動位置の情報に基づいて、前記画像の
歪補正を行う画像処理工程とを備えたことを特徴とする歪補正方法。
【請求項２】
請求項１に記載の歪補正方法であって、
前記投写対象面に投写された前記画像の少なくとも２箇所の所定の部位に対して、夫々
に、前記判断工程により焦点が合う位置であると判断された時の、前記フォーカスレンズ
位置検出工程で検出した前記フォーカスレンズの駆動位置の情報に基づいて前記プロジェ
クタから夫々の前記所定の部位までのフォーカス距離を算出する距離算出工程と、
算出された少なくとも２箇所の前記フォーカス距離に基づいて前記投写対象面に対する
前記プロジェクタの傾き角度を算出する角度算出工程と、
前記角度算出工程で算出された前記傾き角度に基づいて前記画像の歪補正を行う画像処
理工程とを備えたことを特徴とする歪補正方法。
【請求項３】
画像を投写対象面に拡大投写するプロジェクタであって、
前記画像を前記投写対象面に投写する投写部と、
前記投写対象面に投写された前記画像を撮像する撮像部と、
前記投写対象面に投写された前記画像の焦点を調整するフォーカスレンズと、
前記フォーカスレンズを駆動するフォーカスレンズ駆動部と、
前記フォーカスレンズの駆動位置を検出するフォーカスレンズ位置検出部と、
前記フォーカスレンズの位置は、前記撮像部で撮像した前記画像に対し焦点が合う位置
であるか否かを判断する判断部と、
前記投写対象面に投写された前記画像の少なくとも２箇所の所定の部位に対して、夫々
に、前記判断部により焦点が合う位置であると判断された時の、前記フォーカスレンズ位
置検出部で検出した前記フォーカスレンズの駆動位置の情報に基づいて、前記画像の歪補
正を行う画像処理部とを備えたことを特徴とするプロジェクタ。
【請求項４】
請求項３に記載のプロジェクタであって、
前記投写対象面に投写された前記画像の少なくとも２箇所の所定の部位に対して、夫々
に、前記判断部により焦点が合う位置であると判断された時の、前記フォーカスレンズ位
置検出部で検出した前記フォーカスレンズの駆動位置の情報に基づいて前記プロジェクタ
から夫々の前記所定の部位までのフォーカス距離を算出する距離算出部と、
算出された少なくとも２箇所の前記フォーカス距離に基づいて前記投写対象面に対する
前記プロジェクタの傾き角度を算出する角度算出部と、
前記角度算出部で算出された前記傾き角度に基づいて前記画像の歪補正を行う画像処理
部とを備えたことを特徴とするプロジェクタ。
【請求項５】
請求項３または請求項４に記載のプロジェクタであって、
前記投写対象面に投写された前記画像の所定の部位とは、前記投写対象面の両端部であ
ることを特徴とするプロジェクタ。
【請求項６】
請求項３または請求項４に記載のプロジェクタであって、
前記投写対象面に投写された前記画像の所定の部位とは、前記投写対象面の任意の２箇
所と、当該２箇所を通る直線上に位置しない少なくとも１箇所とであることを特徴とする
プロジェクタ。
【請求項７】
請求項４に記載のプロジェクタであって、
前記画像の大きさを変化させることが可能なズームレンズと、
前記ズームレンズを駆動するズームレンズ駆動部と、
前記ズームレンズの位置を検出するズームレンズ位置検出部とを備え、
前記距離算出部において、前記フォーカス距離を算出する場合、前記ズームレンズ位置
検出部によって検出された前記ズームレンズの位置の情報による補正を加えたことを特徴
とするプロジェクタ。
【請求項８】
請求項３乃至請求項６のいずれか一項に記載のプロジェクタであって、
画像を投写する投写レンズの光軸に対して垂直方向に移動可能な前記投写レンズと、
前記投写レンズを駆動する投写レンズ駆動部と、
前記投写レンズの位置を検出する投写レンズ位置検出部とを備え、
前記距離算出部において、前記フォーカス距離を算出する場合、前記投写レンズ位置検
出部によって検出された前記投写レンズの位置の情報による補正を加えたことを特徴とす
るプロジェクタ。
【発明の詳細な説明】
【技術分野】
【０００１】
本発明は、プロジェクタが投写対象面に投写する画像に対して実行する水平方向および
垂直方向の歪補正方法、および、その歪補正方法を用いたプロジェクタに関するものであ
る。
【背景技術】
【０００２】
従来、プロジェクタが投写対象面に投写した画像の歪補正方法として、プロジェクタの
角度を検知して、かつ投写対象面としてのスクリーンの角度情報をオフセット値として設
定することで、自動的に画像の水平、垂直方向の台形歪を補正する方法が知られている（
特許文献１）。
また、プロジェクタ本体前面に設置されたモニタカメラを用いて、スクリーンの方向に
向けて投写された全白画面をモニタカメラで撮像し、撮像画面の走査線の輝度の変化点を
スクリーンの端点として判定することで、撮像されたモニタ画面内のスクリーンの対向辺
の長さを比較して歪補正を行う方法などが知られている（特許文献２）。
【０００３】
【特許文献１】特開２００１−３３９６７１号公報
【特許文献２】特開２０００−２４１８７４号公報
【発明の開示】
【発明が解決しようとする課題】
【０００４】
特許文献１によると、スクリーンの角度の情報が事前に明確になっていなければならず
、固定されたスクリーンなどに投写する場合においては、この方法も使用できる。しかし
、プロジェクタを使用する全ての会議室などに固定式スクリーンを設置することは費用が
大変かかる。また、持ち運びタイプのスクリーンを使用した場合には角度は一定しないた
め歪補正が不完全となる。そのため、使用者が場所を変えてプロジェクタを使用する場合
は大変不便である。
また、特許文献２によると、スクリーンの対向辺が明確に判る場合には使用できるが、
スクリーンの色とスクリーンを固定する対向辺周辺の色や、スクリーン外の色が同色の場
合は対向辺が明確に判らず、対向辺を判定しづらくなる。また、プロジェクタのズームに
対応できない大きさのスクリーンに投写する場合においては使用不可能となる。
本発明は、上記課題に鑑みてなされたものであり、確実に投写画像の歪補正を行うこと
ができる歪補正方法、および、その歪補正方法を用いたプロジェクタを提供することを目
的とする。
【課題を解決するための手段】
【０００５】
上述した課題を解決し、目的を達成するために、本発明は、画像を投写対象面に拡大投
写するプロジェクタの歪補正方法であって、画像を投写対象面に投写する投写工程と、投
写対象面に投写された画像を撮像する撮像工程と、投写対象面に画像が投写された状態で
フォーカスレンズを駆動するフォーカスレンズ駆動工程と、フォーカスレンズの駆動位置
を検出するフォーカスレンズ位置検出工程と、フォーカスレンズの位置は、撮像工程で撮
像した画像に対し焦点が合う位置であるか否かを判断する判断工程と、投写対象面に投写
された画像の少なくとも２箇所の所定の部位に対して、夫々に、判断工程により焦点が合
う位置であると判断された時の、フォーカスレンズ位置検出工程で検出したフォーカスレ
ンズの駆動位置の情報に基づいて、画像の歪補正を行う画像処理工程とを備えたことを特
徴とする。
【０００６】
このような歪補正方法によれば、投写対象面に投写された画像の少なくとも２箇所の所
定の部位に対して、夫々に、フォーカスレンズを駆動して撮像工程により画像を撮像し、
撮像した画像のデータを解析し、焦点が合う位置であるかを判断し、焦点が合う位置であ
ると判断されると、その時のフォーカスレンズの駆動位置を検出する。その検出値に基づ
いて、例えば、検出値と対応する歪補正用テーブルなどを使用して、画像処理を行うこと
で歪補正を行う。
よって、プロジェクタと画像の所定の２箇所に対して焦点が合う位置でのフォーカスレ
ンズ駆動位置を検出することで、自動的に歪補正が行える。従来のように、投写対象面の
オフセット値としての角度データは必要がなく、また、投写対象面の対向辺を検出する必
要もなく自動で歪補正が行える。
【０００７】
また、本発明の好ましい態様によれば、歪補正方法であって、投写対象面に投写された
画像の少なくとも２箇所の所定の部位に対して、夫々に、判断工程により焦点が合う位置
であると判断された時の、フォーカスレンズ位置検出工程で検出したフォーカスレンズの
駆動位置の情報に基づいてプロジェクタから夫々の所定の部位までのフォーカス距離を算
出する距離算出工程と、算出された少なくとも２箇所のフォーカス距離に基づいて投写対
象面に対するプロジェクタの傾き角度を算出する角度算出工程と、角度算出工程で算出さ
れた傾き角度に基づいて画像の歪補正を行う画像処理工程とを備えたことを特徴とする。
【０００８】
このような歪補正方法によれば、投写対象面に投写された画像の少なくとも２箇所の所
定の部位に対して、夫々に、フォーカスレンズを駆動して撮像工程により画像を撮像し、
撮像した画像のデータを解析し、焦点が合う位置であるかを判断し、焦点が合う位置であ
ると判断されると、その時のフォーカスレンズの駆動位置を検出する。その検出値に基づ
いてプロジェクタから夫々の所定の部位までのフォーカス距離を算出し、算出した２箇所
のフォーカス距離に基づいて投写対象面に対するプロジェクタの傾き角度を算出する。そ
の角度を基に画像処理を行うことで歪補正を行う。
よって、プロジェクタと画像の所定の２箇所のフォーカス距離を算出し、投写対象面と
プロジェクタの傾き角度を算出することで、自動的に歪補正が行える。従来のように、投
写対象面のオフセット値としての角度データは必要がなく、また、投写対象面の対向辺を
検出する必要もなく自動で歪補正が行える。
【０００９】
上述した課題を解決し、目的を達成するために、画像を投写対象面に拡大投写するプロ
ジェクタであって、画像を投写対象面に投写する投写部と、投写対象面に投写された画像
を撮像する撮像部と、投写対象面に投写された画像の焦点を調整するフォーカスレンズと
、フォーカスレンズを駆動するフォーカスレンズ駆動部と、フォーカスレンズの駆動位置
を検出するフォーカスレンズ位置検出部と、フォーカスレンズの位置は、撮像部で撮像し
た画像に対し焦点が合う位置であるか否かを判断する判断部と、投写対象面に投写された
画像の少なくとも２箇所の所定の部位に対して、夫々に、判断部により焦点が合う位置で
あると判断された時の、フォーカスレンズ位置検出部で検出したフォーカスレンズの駆動
位置の情報に基づいて、画像の歪補正を行う画像処理部とを備えたことを特徴とする。
【００１０】
このようなプロジェクタによれば、投写対象面に投写された画像の少なくとも２箇所の
所定の部位に対して、夫々に、フォーカスレンズを駆動して撮像部により画像を撮像し、
撮像した画像のデータを解析し、焦点が合う位置であるかを判断し、焦点が合う位置であ
ると判断されると、その時のフォーカスレンズの駆動位置を検出する。その検出値に基づ
いて、例えば、検出値と対応する歪補正用テーブルなどを使用して、画像処理を行うこと
で歪補正を行う。
よって、プロジェクタと画像の所定の２箇所に対して焦点を合せた状態でのフォーカス
レンズ駆動位置を検出することで、自動的に歪補正が行える。従来のように、投写対象面
のオフセット値としての角度データは必要がなく、また、投写対象面の対向辺を検出する
必要もなく簡単で確実に歪補正ができる。このプロジェクタにより、歪補正が自動で行え
るため利便性が向上する。
【００１１】
また、本発明の好ましい態様によれば、プロジェクタであって、投写対象面に投写され
た画像の少なくとも２箇所の所定の部位に対して、夫々に、判断部により焦点が合う位置
であると判断された時の、フォーカスレンズ位置検出部で検出したフォーカスレンズの駆
動位置の情報に基づいてプロジェクタから夫々の所定の部位までのフォーカス距離を算出
する距離算出部と、算出された少なくとも２箇所のフォーカス距離に基づいて投写対象面
に対するプロジェクタの傾き角度を算出する角度算出部と、角度算出部で算出された傾き
角度に基づいて画像の歪補正を行う画像処理部とを備えたことを特徴とする。
【００１２】
このようなプロジェクタによれば、投写対象面に投写された画像の少なくとも２箇所の
所定の部位に対して、夫々に、フォーカスレンズを駆動して撮像部により画像を撮像し、
撮像した画像のデータを解析し、焦点が合う位置であるかを判断し、焦点が合う位置であ
ると判断されると、その時のフォーカスレンズの駆動位置を検出する。その検出値に基づ
いてプロジェクタから夫々の所定の部位までのフォーカス距離を算出し、算出した２箇所
のフォーカス距離に基づいて投写対象面に対するプロジェクタの傾き角度を算出する。そ
の角度を基に画像処理を行うことで歪補正を行う。
よって、プロジェクタと画像の所定の２箇所のフォーカス距離を算出し、投写対象面と
プロジェクタの傾き角度を算出することで、自動的に歪補正が行える。従来のように、投
写対象面のオフセット値としての角度データは必要がなく、また、投写対象面の対向辺を
検出する必要もなく歪補正ができる。このプロジェクタにより、歪補正が自動で行えるた
め利便性が向上する。
【００１３】
また、本発明の好ましい態様によれば、プロジェクタであって、投写対象面に投写され
た画像の所定の部位とは、投写対象面の両端部であることを特徴とする。
このようなプロジェクタによれば、両端部である、例えば、投写対象面の左右（水平）
方向の両端部や、上下（垂直）方向の両端部を所定の部位として、画像を投写し、画像の
２箇所の部位に対して夫々に焦点が合う位置でのフォーカスレンズ駆動位置を検出するこ
とで、左右方向の歪補正や上下方向の歪補正を自動的に行える。また、投写した画像の２
箇所の部位に対して焦点を合せ、フォーカス距離を算出することにより、左右方向の歪補
正や上下方向の歪補正を自動的に行うことができる。そのため、左右方向や上下方向の歪
補正が精度良く行えるプロジェクタを提供できる。
【００１４】
また、本発明の好ましい態様によれば、プロジェクタであって、投写対象面に投写され
た画像の所定の部位とは、投写対象面の任意の２箇所と、２箇所を通る直線上に位置しな
い少なくとも１箇所とであることを特徴とする。
このようなプロジェクタによれば、投写対象面の任意の２箇所と、その２箇所を通る直
線上に位置しない少なくとも１箇所となる、少なくとも合計３箇所に夫々に焦点が合う位
置でのフォーカスレンズ駆動位置や、フォーカス距離を算出することでも歪補正を行うこ
とができる。そのため、確実に歪補正が行えるプロジェクタを提供できる。
【００１５】
また、本発明の好ましい態様によれば、プロジェクタであって、画像の大きさを変化さ
せることが可能なズームレンズと、ズームレンズを駆動するズームレンズ駆動部と、ズー
ムレンズの位置を検出するズームレンズ位置検出部とを備え、距離算出部において、フォ
ーカス距離を算出する場合、ズームレンズ位置検出部によって検出されたズームレンズの
位置の情報による補正を加えたことを特徴とする。
このようなプロジェクタによれば、ズームレンズ駆動部で駆動したズームレンズの位置
の情報を、ズームレンズ位置検出部により検出することができる。それにより、フォーカ
スレンズで所定の部位に対して焦点位置を合せても、ズームによりその焦点位置に対して
「ズレ」が発生する場合などにおいては、フォーカス距離を算出する場合にズームによる
補正分を加えることで、より正確な歪補正が行える。また、「ズレ」の発生原因の一つで
ある、レンズ設計の誤差や組立て誤差などの影響を低減できる。
【００１６】
また、本発明の好ましい態様によれば、プロジェクタであって、画像を投写する投写レ
ンズの光軸に対して垂直方向に移動可能な投写レンズと、投写レンズを駆動する投写レン
ズ駆動部と、投写レンズの位置を検出する投写レンズ位置検出部とを備え、距離算出部に
おいて、フォーカス距離を算出する場合、投写レンズ位置検出部によって検出された投写
レンズの位置の情報による補正を加えたことを特徴とする。
このようなプロジェクタによれば、投写レンズ駆動部で駆動した投写レンズの位置の情
報を、投写レンズ位置検出部により検出することができる。それにより、投写レンズが、
光軸に対して垂直方向に移動して画像を投写する場合において、その移動量だけでは対応
がしきれずに、プロジェクタを投写対象面に対して傾けて投写を行う必要のあるときは、
投写レンズの位置検出部によって検出した投写レンズの位置情報による補正分を加えるこ
とで、正確に歪補正が行える。
【発明を実施するための最良の形態】
【００１７】
以下、本発明の実施形態を図面に基づいて説明する。
【００１８】
図１は、本発明の歪補正方法を用いたプロジェクタ１の概略構成図である。図１を用い
て構成および動作を説明する。
プロジェクタ１は、基本的な構成として、入力された画像信号をデジタル信号に変換す
るA/D変換部１０と、液晶パネル５０の仕様に合せデジタル信号を縮小や拡大処理する画
像処理部２０と、液晶パネル５０に表示するために画像処理されたデジタル信号を変換す
る液晶パネル駆動部３０とを備えている。そして、画像を投写するための光源や光源から
の出射光を偏光変換、色分離する照明光学系４０と、変調を行う液晶パネル５０と、液晶
パネル５０からの出射光を色合成し、その合成光を拡大投写する投写光学系６０とを備え
ている。また、これらの動作のタイミングなどを含めて動作全体を制御するＣＰＵ（Cent
ral Processing Unit）７０を備えている。そして、使用者がプロジェクタ１の操作を行
うためのリモコン装置８５と、そのリモコン装置８５からの信号を受信しＣＰＵ７０に信
号を送るリモコン制御部８０とを備えている。
【００１９】
ここで、本発明である歪補正を行うための構成として、プロジェクタ１は、投写対象面
に投写された画像を撮像する撮像部９０と、撮像された画像を画像データとして記憶する
撮影画像メモリ１００と、その画像データを解析する画像処理部２０とを備えている。そ
して、画像の所定の部位に対して焦点調整するための投写光学系６０を構成するフォーカ
スレンズ６６と、そのフォーカスレンズ６６を駆動するフォーカスレンズ駆動部１１０と
、焦点が合う位置でのフォーカスレンズ６６の位置を検出するフォーカスレンズ位置検出
部１２０とを備えている。また、画像を投写対象面に投写する投写部は、照明光学系４０
、液晶パネル５０、投写光学系６０とから構成される。また、フォーカスレンズ６６は、
複数枚のレンズにより構成されているが、実施形態では総称してフォーカスレンズ６６と
している。
【００２０】
そして、プロジェクタ１は、投写対象面に投写された画像を拡大・縮小するための投写
光学系６０を構成するズームレンズ６４と、そのズームレンズ６４を駆動するズームレン
ズ駆動部１３０と、ズームレンズ６４の位置を検出するズームレンズ位置検出部１４０と
を備えている。また、ズームレンズ６４は、複数枚のレンズにより構成されているが、実
施形態では総称してズームレンズ６４としている。
【００２１】
本実施形態では、撮像部９０としてＣＣＤ（Charge Coupled Device：電荷結合素子）
カメラを用いて、プロジェクタ本体の投写側前面に設置されている。また、フォーカスレ
ンズ位置検出部１２０として光電式のロータリーエンコーダを用いて、フォーカスレンズ
６６の位置（移動距離）を検出している。フォーカスレンズ駆動部１１０は、ＤＣ（直流
）モータを用いてフォーカスレンズ６６を駆動している。これらの制御はＣＰＵ７０が行
っている。
【００２２】
同様に、ズームレンズ位置検出部１４０として光電式のロータリーエンコーダを用いて
、ズームレンズ６４の位置（移動距離）を検出している。ズームレンズ駆動部１３０は、
ＤＣモータを用いてズームレンズ６４を駆動している。これらの制御はＣＰＵ７０が行っ
ている。
【００２３】
図２は、本実施形態の動作を示すフローチャートである。なお、図２では、投写対象面
としてのスクリーン１５０の左右（水平）方向の歪補正に関しての動作を示すフローチャ
ートであり、上下（垂直）方向での歪補正に関しては、例えば、右端を上端に、左端を下
端に置き換えることができる。その他は同様であるため、説明は省略する。また、図２を
用いて左右方向での動作を説明して、図３以降に詳細説明を行う。
【００２４】
ステップＳ１００では、プロジェクタ１は、投写対象面としてのスクリーン１５０の右
端に補正を行うために必要なデータを求めるための画像（以降、フォーカス用画像という
）としてのオートフォーカスパターンを投写する。
ここで、オートフォーカスパターンは、白色または透明な画像の平面上に、ＣＣＤカメ
ラの走査方向に垂直となるように黒色の直線を複数本並べた縞パターンを用いている。そ
のため、水平方向の走査に対して光量変化の振幅や周波数成分が高くなり、画像処理部２
０において正確な解析が行われて、正確な焦点合せができるようにしている。
【００２５】
次に、ステップＳ１０１では、ＣＰＵ７０は、フォーカスレンズ駆動部１１０を制御す
ることでフォーカスレンズ６６を駆動させながら、投写された右端のオートフォーカスパ
ターンを撮像部９０にＣＣＤカメラで取り込ませる。そして、取り込んだオートフォーカ
スパターンを撮影画像メモリ１００に記憶させていく。そして、ＣＰＵ７０は、その画像
データに対して、画像処理部２０に解析させて、波高値を検出させ、波高値の差分の積算
値を計算していく。その結果により、ＣＰＵ７０は、積算値が最も大きいか否かを判断し
て、積算値が最も大きくなるところを見つける。その、積算値が最も大きくなるところが
焦点の合う位置となる（詳細は後述する）。また、その動作によりオートフォーカスが実
行されたことになる。
【００２６】
次に、ステップＳ１０２では、距離算出部としてのＣＰＵ７０は、波高値の差分の積算
値が最も大きくなったところのフォーカスレンズ６６の位置の情報として、フォーカスレ
ンズ６６を固定し駆動しているフォーカスリングに備わるロータリーエンコーダの値を取
得する。
【００２７】
次に、ステップＳ１０３では、距離算出部としてのＣＰＵ７０は、取得したエンコーダ
値を用いて、所定の計算式（詳細は後述する）に基づき、プロジェクタ１と右端のオート
フォーカスパターンまでのフォーカス距離ｄ１を算出する。
ここまでのステップにより、プロジェクタ１とオートフォーカスパターンを投写した右
端までのフォーカス距離ｄ１（フォーカス用画像の所定の部位である１箇所目のフォーカ
ス距離ｄ１）が求められる。
【００２８】
ここで、フォーカス距離とは、プロジェクタ１とプロジェクタ１から投写された画像の
所定の部位の範囲内に位置する場所までの距離をいっている。詳細には、プロジェクタ１
から投写された画像の所定の部位に対して焦点調整を行い波高値の差分の積算値が最も大
きくなる時のフォーカスレンズ６６の位置情報であるエンコーダ値により算出式（詳細は
後述する）から算出される距離である。
【００２９】
次に、ステップＳ１０４において、プロジェクタ１は、左端にオートフォーカスパター
ンを投写する。そして、ステップＳ１０５では、ステップＳ１０１と同様の動作によりオ
ートフォーカスを実行する。
次に、ステップＳ１０６では、ステップＳ１０２と同様の動作により、距離算出部とし
てのＣＰＵ７０は、フォーカスレンズ６６の位置としてエンコーダ値を取得する。そして
、ステップＳ１０７では、ステップＳ１０３で算出したと同様の動作により、距離算出部
としてのＣＰＵ７０は、左端までのフォーカス距離ｄ２（フォーカス用画像の所定の部位
である２箇所目のフォーカス距離ｄ２）を算出する。
ここまでのステップにより、フォーカス用画像の所定の部位である２箇所のフォーカス
距離（プロジェクタ１と右端のオートフォーカスパターンまでのフォーカス距離ｄ１と、
プロジェクタ１と左端のオートフォーカスパターンまでのフォーカス距離ｄ２）が夫々求
められる。
【００３０】
そして、ステップＳ１０８では、角度算出部としてのＣＰＵ７０は、右端までのフォー
カス距離ｄ１と左端までのフォーカス距離ｄ２を用いて、所定の計算式（詳細は後述する
）に基づき、プロジェクタ１とスクリーン１５０との傾き角度θ（詳細は後述する）を算
出する。
次に、ステップＳ１０９では、ＣＰＵ７０は、画像処理部２０において、投写する画像
データに対して傾き角度θに基づいて左右方向である水平方向の歪補正を実行させる。
歪補正とは、スクリーン１５０の傾きによって生ずる画像の歪みが少なくなるように、
歪が生じる部分を予め逆方向に歪ませた歪み画像を生成し、その外部に黒の画像を付加す
る処理である。なお、歪補正の処理は周知の技術であるので、詳細な説明は省略する。例
えば、特開平１１−３０５７１５号公報などに詳しく説明されている。
以上のステップにより、プロジェクタ１は水平方向の歪補正された画像をスクリーン１
５０に投写することができる。
【００３１】
ここで、焦点が合う位置であるか否かを判断する判断部は、ステップＳ１０１とステッ
プＳ１０５における、オートフォーカスを実行するステップにおいて、ＣＰＵ７０が、積
算値が最も大きいか否かの判断を実行することで構成されている。
【００３２】
図３は、プロジェクタ１が左右のオートフォーカスパターンをスクリーン１５０に投写
したときの上方から見た図である。そして、図３（ａ）は、右側にオートフォーカスパタ
ーンを投写した図であり、図３（ｂ）は、左側にオートフォーカスパターンを投写した図
である。
【００３３】
図３（ａ）および図３（ｂ）を説明する。
図３（ａ）は、歪補正を行うためのフォーカス用画像として、右側のオートフォーカス
パターンをスクリーン１５０に投写した図であり、実施形態では、白色の画像平面上にオ
ートフォーカスパターンとしてＣＣＤカメラの走査方向に垂直となるように縞パターンを
用いている。よって、白色の画像が投写光範囲で示される部分に投写され、縞パターンは
その右端のパターン表示範囲として示す部分に表示されることになる。
図３（ｂ）は、歪補正を行うためのフォーカス用画像として、左側のオートフォーカス
パターンをスクリーン１５０に投写した図であり、パターン内容および投写に関しては図
３（ａ）と同様である。
【００３４】
ここで、図２のステップで説明した、プロジェクタ１と右端および左端のオートフォー
カスパターンまでのフォーカス距離を算出する所定の式について説明する。
【００３５】
ここで、算出するフォーカス距離をｙ、フォーカスレンズ６６の位置としてのエンコー
ダの値をｘとした場合、フォーカスレンズ位置としてのエンコーダの値ｘ（横軸）とフォ
ーカス距離ｙ（縦軸）の関係は図４に示すように、反比例のグラフとして近似できる。そ
のため、フォーカス距離ｙを算出する計算式は、式(１)で表すことができる。
ｙ＝Ａ/(ｘ−Ｂ)          ・・・（１）
ここでＡ,Ｂは測定により求める定数である。また、図４は、エンコーダ値ｘを固定し
たときにフォーカスレンズ６６の焦点が合うフォーカス距離ｙを、それぞれ数箇所実測し
、そのｘとｙの関係をグラフにプロットした図である。そして、その関係に基づき、計算
式として近似的に表した式が式(１)となる。
式(１)において、定数Ａ、Ｂは上述した実測値に対して求まる値であり、定数Ｂは図４
のグラフにおける破線で示す漸近線の値となる。また、式(１)は製造工程の中で、上述し
た内容を実測することで、定数Ａ、Ｂを決定して、初期的にプロジェクタ１のメモリ（図
示省略）に記憶させ、距離算出部としてのＣＰＵ７０により計算が実行される。
【００３６】
次に、図２のステップで説明した、プロジェクタ１とスクリーン１５０との傾き角度θ
を算出する所定の式について図５を基に説明する。
【００３７】
図５は、傾き角度θを求める上で初期的に必要となる各値について説明した図である。
図５（ａ）は、傾き角度θを示す説明図である。傾き角度θは、プロジェクタ１の投写
する投写光の光軸（プロジェクタ光軸）と、スクリーン１５０に対する法線（スクリーン
法線）との成す角度をいう。また、傾き角度θは、スクリーン法線に対して図中右側方向
である場合を「−」、左側方向である場合を「＋」としている。
【００３８】
また、図５（ｂ）は、プロジェクタ１の水平半画角φを表す図である。ここで、プロジ
ェクタ１の水平半画角φとは、プロジェクタ１の投写光学系６０から投写する投写光の水
平方向に広がる投写角度（ズームレンズ６４の位置設定により変化する）に対して、その
半分の角度をいう。
【００３９】
また、図５（ｃ）は、式(１)で算出した右端および左端のフォーカス距離ｄ１、ｄ２を
模式的に示した図である。フォーカス距離ｄ１とは、図３（ａ）で説明したパターン表示
範囲内のオートフォーカスパターン（黒色の直線を複数本並べた縞パターン）に対して、
画像処理部２０およびＣＰＵ７０により横方向の波高値の差分の積算値が最も大きくなる
時のフォーカスレンズ６６の位置情報であるエンコーダ値により算出式(１)から算出した
距離である。フォーカス距離ｄ２に関しても同様である。よって、フォーカス距離とは、
プロジェクタ１とスクリーン１５０に投写されたオートフォーカスパターンの表示範囲内
（所定の部位）のどこかに位置する点までの距離となる。オートフォーカスパターンであ
る黒色の直線の幅を狭くして、しかも、投写画面の白色とコントラストが大きくなるよう
に設定することで、より厳密なフォーカス距離を測定することができる。
【００４０】
以上の説明を基に、算出する傾き角度をθ、プロジェクタ水平半画角をφ、右端のオー
トフォーカスパターンまでのフォーカス距離をｄ１、左端のオートフォーカスパターンま
でのフォーカス距離をｄ２とした場合、フォーカス距離ｄ１、ｄ２から傾き角度θを算出
する式は、式(２)で表すことができる。
θ＝Arc tan((1/tanφ)×((ｄ１−ｄ２)/(ｄ１＋ｄ２)))          ・・・（２）
また、式(２)は、初期的にプロジェクタ１のメモリに記憶させ、角度算出部としてのＣ
ＰＵ７０により計算が実行される。
【００４１】
また、フォーカス位置は、ズームレンズ６４の移動によりズーム比が変わっても「ズレ
」が発生しないことが理想的であるが、実際には少し「ズレ」が発生する。ここで、「ズ
レ」とは、ズーム比に対するエンコーダ値ｘとフォーカス距離ｙの関係の「ズレ」をいう
。そして、特に、ズーム比が大きくなると「ズレ」も大きくなる。そこで、フォーカス距
離の算出式(１)に、「ズレ」に対応した補正を加えることで、より正確な傾き角度θが求
められる。
【００４２】
図６は、図４のグラフに対して、ズームレンズ６４を移動させた場合のエンコーダ値ｘ
とフォーカス距離ｙの関係を示したグラフである。そして、図６は、ズームレンズ６４を
移動した場合、漸近線で表されるＢが左右に移動（図中「Ｂ0Ｚ＋Ｂ1」で示す幅）するこ
とを模式的に表した図である。この場合に、グラフの傾きは殆ど変わらない。この関係か
ら、補正値を加味した場合のフォーカス距離ｙを算出する計算式は式(３)で表される。
ｙ＝Ａ/(ｘ−Ｂ0Ｚ−Ｂ1)          ・・・（３）
ここで、Ｚは、ズームレンズ６４の位置を表すエンコーダ値である。また、Ｂ0,Ｂ1は
、ｘ,ｙ,Ｚの測定によって決まる定数である。
【００４３】
また、ズームレンズ６４の位置を検出するためには、フォーカスレンズ６６の駆動位置
検出を行う構成と同様に、ズームレンズ６４を固定する箇所にエンコーダを備え、ズーム
レンズ６４を駆動するズームレンズ駆動部１３０と、ズームレンズ６４の位置を検出する
ズームレンズ位置検出部１４０とを備えることによりＺを検出する。
この場合、図２におけるステップＳ１０２、Ｓ１０６において、フォーカスレンズ位置
のエンコーダ値ｘとズームレンズ位置のエンコーダ値Ｚを取得して、ステップＳ１０３、
Ｓ１０７において、式(３)を用いてフォーカス距離ｄ１、ｄ２を算出することになる。
また、式(３)は、初期的にプロジェクタ１のメモリに記憶させ、距離算出部としてのＣ
ＰＵ７０により計算が実行される。
【００４４】
上述した、フォーカス距離算出式(１)、(３)および角度算出式(２)を用いることで、ス
クリーン１５０の右方向端部に投写されたオートフォーカスパターンにより、右側までの
フォーカス距離ｄ１を算出し、次に、スクリーン１５０の左方向端部に投写されたオート
フォーカスパターンにより、左側までのフォーカス距離ｄ２を算出する。そして、算出し
たフォーカス距離ｄ１、ｄ２を基にスクリーン１５０とプロジェクタ１との傾き角度θを
算出することで、左右（水平）方向の歪補正が行える。
同様にして、スクリーン１５０の上下（垂直）方向のフォーカス距離をそれぞれ算出し
、算出したフォーカス距離を基に、上下（垂直）方向の傾き角度を算出することで上下（
垂直）方向の歪補正が行える。
このようにして、左右（水平）方向および上下（垂直）方向の歪補正を行い、スクリー
ン１５０には歪のない正常な画像を投写することができる。
【００４５】
上述した、実施形態によれば以下の効果が得られる。
（１）本実施形態の歪補正方法によれば、プロジェクタ１とフォーカス用画像の所定の
２箇所の部位に対して、夫々に、フォーカスレンズ６６を駆動して、ＣＣＤカメラにより
フォーカス用画像を撮像し、撮像した画像のデータを画像処理部２０で解析する。そして
、焦点が合う位置であるか（積算値が最大になるか）を判断し、焦点が合う位置（積算値
が最大）であると判断された時の、フォーカスレンズ６６の駆動位置を検出する。その位
置に基づいてプロジェクタ１と焦点を合せた部位のフォーカス距離を式(１)により算出し
、算出したフォーカス距離に基づいてスクリーン１５０とプロジェクタ１の傾き角度θを
式(２)により算出することで、自動的に歪補正が行える。そのため、従来のように、スク
リーン１５０のオフセット値としての角度データは必要がなく、また、スクリーン１５０
の対向辺を検出する必要もなく簡単で確実に自動で歪補正が行える。
【００４６】
（２）本実施形態の歪補正方法を、スクリーン１５０に対して左右（水平）方向に適用
することで、左右方向の歪補正が行える。
特に、スクリーン１５０が上下方向で傾いており、垂直でない場合などにおいて、本実
施形態の歪補正方法を用いると、スクリーン１５０に対してプロジェクタ１の上下方向の
傾き角度θを算出できる。よって、本実施形態の歪補正方法は、スクリーン１５０を垂直
に設置できない環境での上下方向の歪補正に対して大変効果がある。
【００４７】
（３）本実施形態の歪補正方法によれば、距離算出部としてのＣＰＵ７０において、ス
クリーン１５０に投写されたフォーカス用画像の所定の部位に対してフォーカス距離を算
出する場合、フォーカス距離算出の計算式にズームによる補正を加えた。そのため、ズー
ムにより焦点位置に「ズレ」が発生する場合などにおいても正確な歪補正が行える。
【００４８】
（４）本実施形態の歪補正方法によれば、レンズ設計・製造の誤差による光学特性への
影響や、組立て工程でのレンズの取付け精度誤差などの影響を低減できるため、投写光学
系６０を構成するレンズの設計や製造のし易さ、および、その組立てのし易さに対して効
果がある。また、傾き角度が広角でも測定可能となるため、プロジェクタ１の設置場所の
自由度が広がる。
【００４９】
なお、本発明は、上述した実施形態に限定されず、上述した実施形態に種々の変更や改
良など加えることが可能である。変形例を以下に述べる。
【００５０】
（変形例１）本実施形態では、フォーカス用画像の所定の部位に対してスクリーン１５０
の両端部である２箇所のフォーカス距離を算出し、傾き角度を算出して歪補正を行ってい
る。しかし、これに限らず、フォーカス距離を算出するための基のデータとなる所定の部
位の少なくとも２箇所にフォーカスレンズ６６の焦点調整を行った時の、２箇所のエンコ
ーダ値のみを用いて、歪補正を行うことができる。
【００５１】
この場合のプロジェクタ１の動作を図２を用いて概略説明する。
図２に示したフローチャートの中で、ステップＳ１００からステップＳ１０２までは本
実施形態と同様にして右端に投写したオートフォーカスパターンに対してオートフォーカ
スを実行し、焦点が合ったときのフォーカスレンズの駆動位置の右端でのエンコーダ値（
ｘ１とする）を取得する。
次に、本実施形態と同様にしてステップＳ１０４からステップＳ１０６までを実行する
ことで、本実施形態と同様にして、左端でのエンコーダ値（ｘ２とする）を取得する。
次に、ステップＳ１０９に移行する。ステップＳ１０９では、ＣＰＵ７０は、取得した
左右端のエンコーダ値の比（（ｘ１−Ｂ）/（ｘ２−Ｂ））を算出する。そして、ＣＰＵ
７０は、メモリ（図示省略）に記憶されている、エンコーダ値の比と歪補正量との関係を
示すテーブルを読込むことで、取得した左右端のエンコーダ値の比と比較し、対応する歪
補正量を決定する。そして、ＣＰＵ７０は、画像処理部２０に、決定した歪補正量に対応
した信号を出力する。そして、画像処理部２０では、その信号に基づいて、投写する画像
データに対して歪補正を実行する。
以上の動作により、２箇所のエンコーダ値のみで歪補正を行うことができる。
これにより、歪補正に要する時間をより短縮できる。
【００５２】
（変形例２）変形例１では、歪補正を行う場合、所定の部位の少なくとも２箇所にフォー
カスレンズ６６の焦点調整を行った時の、２箇所のエンコーダ値ｘのみを用いて行ってい
る。しかし、これに限らず、２箇所のエンコーダ値に基づき算出した２箇所のフォーカス
距離のみで歪補正を行うことができる。
【００５３】
この場合のプロジェクタ１の動作を図２を用いて概略説明する。
図２に示したフローチャートの中で、ステップＳ１００からステップＳ１０７までは本
実施形態と同様にして右端に投写したオートフォーカスパターンに対してオートフォーカ
スを実行し、焦点が合ったときのフォーカスレンズの駆動位置の右端でのエンコーダ値を
取得する。そして、取得したエンコーダ値を式(１)または式(３)に基づき右端までのフォ
ーカス距離ｄ１を算出する。同様にして左端までのフォーカス距離ｄ２を算出する。
次に、ステップＳ１０９に移行する。ステップＳ１０９では、ＣＰＵ７０は、取得した
左右端までのフォーカス距離の比（ｄ１/ｄ２）を算出する。そして、ＣＰＵ７０は、メ
モリ（図示省略）に記憶されている、フォーカス距離の比と歪補正量との関係を示すテー
ブルを読込むことで、取得したフォーカス距離の比と比較し、対応する歪補正量を決定す
る。そして、ＣＰＵ７０は、画像処理部２０に、決定した歪補正量に対応した信号を出力
する。そして、画像処理部２０では、その信号に基づいて、投写する画像データに対して
歪補正を実行する。
以上の動作により、２箇所のフォーカス距離のみで歪補正を行うことができる。
これにより、歪補正に要する時間をより短縮できる。
【００５４】
（変形例３）投写レンズが、光軸に対して垂直方向に移動して画像を投写することが可能
なプロジェクタ１において、その移動量だけでは希望する投写位置に投写できない場合に
、プロジェクタ１をスクリーン１５０に対して傾けて投写を行う必要性が生じる。そのよ
うなときに、本実施形態の歪補正方法を用いることができる。
この場合、画像を投写する投写レンズと、投写レンズを駆動する投写レンズ駆動部と、
投写レンズの位置を検出する投写レンズ位置検出部とをプロジェクタ１に備えることで可
能となる。そして、投写レンズの位置検出部としてロータリーエンコーダなどを用いて、
投写レンズ駆動部を構成する回転つまみなどにロータリーエンコーダなどを設置し、回転
つまみの回転量を投写レンズ位置として検出する。
そのようにして検出された投写レンズの位置情報を基に、フォーカス距離を算出する場
合、投写レンズの位置情報による補正分を加えることで、正確に歪補正が行える。
【００５５】
また、この場合も、変形例１で述べたように、フォーカスレンズ６６の焦点調整を行っ
た時の、所定の２箇所の部位のエンコーダ値と、投写レンズの位置情報とを用いて歪補正
を行うこともできる。その場合は、ＣＰＵ７０は、メモリ（図示省略）に記憶されている
、フォーカスレンズ６６の焦点調整を行った時の、所定の２箇所の部位のエンコーダ値の
比と、投写レンズの位置情報とによる歪補正量との関係を示すテーブルを読込むことで、
投写レンズの位置情報をエンコーダ値の比に加えた場合の歪補正量を決定することができ
る。そして、ＣＰＵ７０は、画像処理部２０に、決定した歪補正量に対応した信号を出力
する。そして、画像処理部２０では、その信号に基づいて、投写する画像データに対して
歪補正を実行する。
以上の動作により、投写レンズの位置情報を加えた歪補正を行うことができる。
【００５６】
また、別の補正方法として、検出された投写レンズの位置情報と、投写レンズの位置を
考慮せずに求めた歪補正量に対して、検出された投写レンズの位置情報を加えて、歪補正
を行うこともできる。その場合は、ＣＰＵ７０は、メモリ（図示省略）に記憶されている
、投写レンズの位置を考慮せずに求めた歪補正量に投写レンズの位置情報を加えた場合の
実際の歪補正量との関係を示すテーブルを読込むことで、求めた歪補正量に検出された投
写レンズの位置情報を加えた場合の実際の歪補正量を決定することができる。そして、Ｃ
ＰＵ７０は、画像処理部２０に、決定した実際の歪補正量に対応した信号を出力する。そ
して、画像処理部２０では、その信号に基づいて、投写する画像データに対して歪補正を
実行する。
以上の動作により、投写レンズの位置情報を加えた歪補正を行うことができる。
【００５７】
（変形例４）本実施形態では、フォーカス距離を求める場合、パターン表示範囲内のオー
トフォーカスパターンとして、黒色の直線を複数本並べた縞パターンを用いている。そし
て、撮像部９０でオートフォーカスパターンを含むフォーカス用画像を撮像し、画像処理
部２０およびＣＰＵ７０などにより走査方向の波高値の差分の積算が最も大きくなるよう
にフォーカスレンズ６６の位置を調整し、そのときのエンコーダ値によりフォーカス距離
を算出している。しかし、これに限らず、オートフォーカスパターンとして黒色の直線が
１本だけのパターンを用いても良い。この場合、撮像部９０でオートフォーカスパターン
を含むフォーカス用画像を撮像し、画像処理部２０およびＣＰＵ７０などにより波高値が
最も高くなるようにフォーカスレンズの駆動位置を調整することで焦点の調整を行い、そ
のときのエンコーダ値によりフォーカス距離を算出することができる。
【００５８】
（変形例５）本実施形態では、フォーカス用画像の所定の部位に対してスクリーン１５０
の両端部である２箇所のフォーカス距離を算出し、傾き角度を算出して歪補正を行ってい
る。しかし、これに限らず、例えば、スクリーン１５０に投写されたフォーカス用画像の
任意の２箇所と、その２箇所を通る直線上に位置しない１箇所の少なくとも３箇所のフォ
ーカス距離を算出して歪補正を行っても良い。この場合、３箇所の部位とフォーカス距離
に対して、水平方向および垂直方向に対する傾き角度を算出することで歪補正を行うこと
ができる。
【００５９】
（変形例６）本実施形態では、フォーカス用画像にオートフォーカスパターンとして、黒
色の直線を複数本並べた縞パターンを用いている。しかし、これに限らず、通常の画像デ
ータをフォーカス用画像として用いることができる。この場合、画像処理部２０で波高値
を検出する部位を初期的に決めておく必要があるが、通常の画像データで良いため、プロ
ジェクタ１の使用者は、自分の必要とする画像データを投写すると自動で歪補正を行うた
め、違和感なくスムーズに説明に入ることができる。
【００６０】
（変形例７）本実施形態では、フォーカスレンズ６６の駆動位置の値を求めるために、フ
ォーカスリングに備えたロータリーエンコーダを用いている。しかし、これに限らず、リ
ニアエンコーダや、可変抵抗をエンコーダとして用いても良い。ここで、可変抵抗を用い
る場合には、抵抗による電圧値をアナログデジタル変換し用いることになる。
これにより、エンコーダの種類を選択することができるため、設計の自由度が拡大する
。
【００６１】
（変形例８）本実施形態では、所定の部位に焦点調整を行ったときのフォーカスレンズ６
６の駆動位置としてエンコーダ値を用いている。しかし、これに限らず、ステッピングモ
ータを用いて、そのステッピングモータのパルス数を用いても良い。
この場合、フォーカスレンズ６６を駆動するフォーカスレンズ駆動部１１０において、
本実施形態で備えられているＤＣモータを、ステッピングモータに変更することで、フォ
ーカスレンズ６６の駆動位置としてパルス数を利用することができる。また、このとき、
ステッピングモータをコントロールするコントロール回路などは必要となる。
これにより、通常のＤＣモータでフォーカスレンズ６６を駆動するのに比べて、ステッ
ピングモータでフォーカスレンズを駆動する方がより正確で精度良く駆動できるため、よ
り正確な歪補正を行うことができる。
【００６２】
（変形例９）本実施形態では、撮像部９０としてＣＣＤカメラを用いてスクリーン１５０
に投写されたフォーカス用画像を撮像している。しかし、ＣＣＤカメラを他の機能を実現
するための構成として共通に利用することもできる。例えば、各色（赤、緑、青など）を
投写対象面に投写して、投写対象面の持つ色に対する本来の色との差を検出し、逆補正し
て投写するような投写対象面に対する色補正機能などのために用いるＣＣＤカメラとして
共通に使用できる。そのため、プロジェクタ１の構成も簡単になる。また、費用が低減で
きる効果がある。
【００６３】
（変形例１０）本実施形態では、フォーカス距離を求める場合、オートフォーカスパター
ンの画面を右と左で切替えて投写して求めている。しかし、これに限らず、オートフォー
カスパターンの画面を切替えなしに、一つの画面でオートフォーカスパターンを投写して
、異なる位置の焦点の合うそれぞれのエンコーダ値ｘを取得しても良い。
これにより、歪補正に要する時間を短縮できる。
【００６４】
（変形例１１）本実施形態では、フォーカス距離を求める部位を左右または上下の２箇所
用いている。しかし、これに限らず、フォーカス距離を求める位置は２箇所以上で適宜設
定しても良い。その場合、フォーカス用画像の四隅、三隅、下二隅と上端中央またはこの
逆、および、右二隅と左端中央またはこの逆などの箇所を用いることができる。
【００６５】
（変形例１２）本実施形態では、左右方向および上下方向に本発明の歪補正方法を用いて
いる。しかし、これに限らず、上下方向は重力センサを用いて、左右方向のみに本発明の
歪補正方法を用いても良い。これにより、歪補正に要する時間を短縮できる。
【００６６】
（変形例１３）本実施形態では、撮像部９０としてＣＣＤカメラを用いているが、これに
限らず、ＣＭＯＳ（Complementary Metal Oxide Semiconductor）などの他のイメージセ
ンサーを用いてもよい。これにより、撮像部９０として使用するセンサを選択する自由度
が拡大する。
【００６７】
（変形例１４）本実施形態のプロジェクタ１では、液晶パネル５０を用いているが、これ
に限らず、画像信号に基づいて画像を形成し、その形成した画像に応じて変調した光を射
出する種々の装置を利用することができる。例えば、ＤＭＤ(登録商標)（Digital Microm
irror Device）を用いても良いし、ＣＲＴ（Cathode-Ray Tube）やＬＣＯＳ（Liquid Cry
stal On Silicon）などを用いても良い。
【図面の簡単な説明】
【００６８】
【図１】本発明の一実施形態のプロジェクタに係る概略構成図。
【図２】プロジェクタに係る動作を示すフローチャート。
【図３】オートフォーカスパターンをスクリーンに投写したときの上方から見た平面図。
【図４】エンコーダ値とフォーカス距離の関係を表すグラフ。
【図５】傾き角度を求める上で初期的に必要となる各値について説明した図。
【図６】ズームレンズを移動させた場合のエンコーダ値とフォーカス距離の関係を表すグラフ。
【符号の説明】
【００６９】
１…プロジェクタ、１０…A/D変換部、２０…画像処理部、３０…液晶パネル駆動部、
４０…投写部を構成する照明光学系、５０…投写部を構成する液晶パネル、６０…投写部
を構成する投写光学系、６４…ズームレンズ、６６…フォーカスレンズ、７０…プロジェ
クタ全体の制御部、判断部、距離算出部および角度算出部としてのＣＰＵ、８０…リモコ
ン制御部、８５…リモコン装置、９０…撮像部、１００…撮影画像メモリ、１１０…フォ
ーカスレンズ駆動部、１２０…フォーカスレンズ位置検出部、１３０…ズームレンズ駆動
部、１４０…ズームレンズ位置検出部、１５０…投写対象面としてのスクリーン。
【図１】
2005295328.tif 000003
【図２】
2005295328.tif 000004
【図３】
2005295328.tif 000005
【図４】
2005295328.tif 000006
【図５】
2005295328.tif 000007
【図６】
2005295328.tif 000008